(57)【要約】      （修正有）【課題】 雨水が屋根内に侵入しても、天井裏や家内に滴下させることなく、それを効率良く外部に排出させる。【解決手段】木造建物の屋根桁の上に等間隔に配設した多数の垂木３に野地板５を張設する木造建物の屋根施工において、薄板材の相対する左右両側が上方に折り曲げられ、かつその左右上方の端部が外側に向けて水平方向に折り曲げられることによって形成される凹溝１ａを備えてなるシールド部材を、その凹溝１ａを垂木と隣り合う他の垂木との間に嵌め込むと共に、前記左右両側の端部が外側に向けて水平方向に折り曲げられることによって形成される左右両側縁部を垂木３の上面に係止させて前記垂木３に敷設し、そしてこのシールド部材の上に前記野地板５を張設して屋根を施工する。【選択図】図３
2005048589.tif 000002
【特許請求の範囲】
【請求項１】
木造建物の屋根桁の上に等間隔に配設した多数の垂木に野地板を張設する木造建物の屋根施工において、薄板材の相対する左右両側が上方に折り曲げられ、かつその左右上方の端部が外側に向けて水平方向に折り曲げられることによって形成される凹溝を備えてなるシールド部材を、その凹溝を垂木と隣り合う他の垂木との間に嵌め込むと共に、前記左右両側の端部が外側に向けて水平方向に折り曲げられることによって形成される左右両側縁部を垂木の上面に係止させて前記垂木に敷設し、そしてこのシールド部材の上に前記野地板を張設して屋根を施工することを特徴とする、木造建物の屋根のシ−ルド工法。
【請求項２】
互いに隣合う前記シールド部材の縁部どうしを重なり合わせて垂木の上面に係止させる、請求項１記載のシ−ルド工法。
【発明の詳細な説明】
【技術分野】
【０００１】
本発明は、木造建物の屋根施工における屋根のシールド工法に関するものである。
【背景技術】
【０００２】
従来、木造建物の屋根は頂部の棟木と軒部の軒桁、その中間部に配設された母屋等の屋根桁の上に一定の間隔で等間隔に多数の垂木を配設して、該垂木の上面に合板等の野地板を張設し、その上に防水紙を張って瓦等の屋根材を葺設する屋根施工のやり方が一般的であり、これらの野地板や防水紙、屋根材は釘等の止め部材により打付けられて止められている。
【発明の開示】
【発明が解決しようとする課題】
【０００３】
しかしながら、上記従来の屋根施工においては、台風等により風雨が強いような場合には、この強い風雨によって、瓦等の屋根材が剥離するか、又はこれらの屋根材の間の隙間から雨水が吹き込んだり、あるいは一般に屋根材の間の隙間に雨水がしみ込むことによって屋根の内部に雨水が侵入し、その侵入した雨水が野地板から天井を伝わって建物の中まで侵入してくるので、天井を初めとして、柱や床等の建物自体ばかりでなく、家財等も水で漏れたり、あるいは更に水浸しになる等の被害を被るほか、水で濡れた屋根等が腐朽菌の発生を促して、この屋根等の支持強度や耐久性が低下するという問題があり、したがって従来の屋根施工ではこのような問題を解決しなければならないという課題があった。
【課題を解決するための手段】
【０００４】
本発明は上記の課題を解決することを目的とし、この目的は、本発明によって提供される次の木造建物の屋根のシ−ルド工法、すなわち
（１）木造建物の屋根桁の上に等間隔に配設した多数の垂木に野地板を張設する木造建物の屋根施工において、薄板材の相対する左右両側が上方に折り曲げられ、かつその左右上方の端部が外側に向けて水平方向に折り曲げられることによって形成される凹溝を備えてなるシールド部材を、その凹溝を垂木と隣り合う他の垂木との間に嵌め込むと共に、前記左右両側の端部が外側に向けて水平方向に折り曲げられることによって形成される左右両側縁部を垂木の上面に係止させて前記垂木に敷設し、そしてこのシールド部材の上に前記野地板を張設して屋根を施工することを特徴とする、木造建物の屋根のシ−ルド工法、及び
（２）互いに隣合う前記シールド部材の縁部どうしを重なり合わせて垂木の上面に係止させる、前記（１）記載のシ−ルド工法によって達成される。
【発明の効果】
【０００５】
シールド部材を、木造建物の屋根桁に等間隔に配設された垂木と隣り合う他の垂木との間に、それの凹溝部分を嵌め込むと共に、それの左右両側に形成された係止部を垂木の上面に係止させることによって敷設し、そしてその上に野地板を張設する本発明のシ−ルド工法によれば、直接野地板に至るまでの雨水がこのシールド部材で排除されるので、雨水が瓦等の屋根材の隙間から屋根の内部に浸入するか、あるいはこれらの屋根材が剥離したりして雨水が屋根内に浸入しても、垂木と垂木との間でそのシールド部材によって雨水が垂木を湿潤することなく外部に排出されるので、天井や建物内の奥に雨水が浸入するのが阻止され、したがって雨水の浸入によって被る建物自体及び建物内の家財等の被害、及び屋根等で腐朽菌の発生が促されたり、この腐朽菌の発生に基づく屋根等の支持強度や耐久性の低下が防止される。
【０００６】
また、本発明のシ−ルド部材は、薄板材の相対する左右両側を上方に折り曲げることによって形成される凹溝と、前記折り曲げられた薄板材の左右両側の端部を外側に向けて水平方向に折り曲げることによって形成される逆Ｌ字状の係止部を左右両側縁部に有し、そしてこの係止部が垂木の上面に係止されるので、施工時の誤差や乾湿による屋根材の伸縮によって垂木と隣り合う他の垂木との間の間隔どうしに若干の差異が生じても、前記薄板材に備わっている弾性によって前記凹溝は垂木と隣り合う他の垂木との間に容易に嵌め込むことができるばかりでなく、垂木の上面に係止される前記係止部は逆Ｌ字状に形成されているため、加工時の誤差や乾湿による垂木の伸縮によって垂木の上面の幅の間に若干の差異が生じても、前記係止部はこの垂木の上面の幅の若干の変動に拘束されることがないので、このシ−ルド部材では、その敷設に何の障害も生じないという利点が得られる。
【０００７】
さらに、シールド部材の凹溝に断熱材を敷設する手段を講ずることにより、屋根裏の断熱を図ることも可能である。
【発明を実施するための最良の形態】
【０００８】
本発明の実施の形態を実施例を示す図面に基づいて説明する。
図１に示すように、本発明は薄板材で凹溝を形成したシールド部材１を、屋根桁２の上に等間隔に配設した垂木３、３の間に嵌め込むようにして敷設し、屋根を施工するようにした木造建物の屋根のシールド工法である。
【０００９】
シールド部材１の材料としては、例えば、表面が防錆処理された厚さ０．３〜０．５ｍｍ程度の薄い鉄板の薄板材が使用されるが、シールド部材１の材料はこれに限定されることなく、合成樹脂や防水加工された紙等による薄板材を使用することもでき、これらの薄板材の強度が不足する場合には、それの厚みを上記の厚さよりも若干厚くしても良い。
この薄板材の左右両側は、図２に示すように、上方に折り曲げられて前記垂木３と隣り合う他の垂木３の間に嵌め込まれることによって、それに幅Ｗの凹溝１ａが形成されると共に、その折り曲げられた左右両側の端部を外側に向けて水平方向に折り曲げることによって前記左右両側の端部の先の縁部に断面が逆Ｌ字状の係止部１ｂ、１ｂが形成され、この係止部１ｂ，１ｂが前記垂木３、３の上面に係止される。
【００１０】
前記シールド部材１は、鉄板の薄板材を使用する場合、定尺のカラートタン板が市販されており、例えば６尺のカラートタン板を使用して製作した場合長さＬは１８０ｃｍ、８尺の場合は２４０ｃｍとなり、該寸法を標準として製作されるが、限定するものではなく、屋根施工時の現物合わせにより適宜切断して使用しても良い。
【００１１】
前記シールド部材１の凹溝１ａの深さＨは、係止部１ｂ、１ｂを垂木３の上面に係止させて敷設した時、凹溝１ａの底面が屋根桁２に当接しないようにすれば特に定めるものでないが、凹溝１ａに断熱材を敷設して屋根裏の断熱効果を得る手段も講じられることから、できるだけ深くするのが好ましい。
【００１２】
また、前記シールド部材１の係止部１ｂ、１ｂを垂木の上面に係止して敷設する時は、係止部１ｂ、１ｂの縁部が、隣接するシールド部材の係止部の縁部と重なり合うようにすると、垂木３の上面がシールド部材の係止部でシールされて雨水が垂木へ浸潤するのを阻止する効果が得られる。或いはシール部材の係止部の縁部を重ね合わせなくても、垂木３の上面にコ字状に曲げたシールキャップを被せればその効果を得ることはできる。
【００１３】
次に、本発明に係るシールド部材により木造建物の屋根を施工する実施例を、図３〜図５において説明する。
図３は本発明に係るシールド部材を敷設して平板瓦を葺設した実施例を示す要部斜視図で、図４は図３のＡ−Ａ断面図、図５は図３のＢ−Ｂ断面図である。
【００１４】
シールド部材１は、凹溝１ａが垂木３、３の間に嵌め込むようにして左右の係止部１ｂ、１ｂの縁部を、隣接するシールド部材の係止部の縁部に重ね合わせて垂木の上面に係止させ、重ね合わせ部を止め部材４により打付けて敷設してあり、止め部材４は一般的に釘やタッカーが使用される。
垂木３は、図５に示す屋根桁２、２Ａの上に一定の間隔で等間隔に多数配設してある。前記屋根桁２は一般的には軒桁、２Ａは母屋と称しているが、本説明では屋根桁の呼称に統一して記述する。
又、前記シールド部材の縦方向は、図５に示す如く上方のシールド部材１Ａの下縁部を、下方のシールド部材１の上縁部に被せるように重ね合わせて敷設してある。
【００１５】
上記の如くシールド部材１を敷設した後、その上に合板等の野地板５を垂木３に釘等の止め部材で打付けて張設し、防水紙６を張って平板瓦７を葺設する。平板瓦７は、図５に示すように止め部材（釘）８により野地板５に打付けて、止め部材の打付け部を上方の平板瓦７で被覆するようにして葺設してある。
【００１６】
以上のようにして、木造建物の屋根を施工することにより、台風等の風雨時において平板瓦７が剥離したり、平板瓦の隙間から雨水が屋根内に浸入して野地板５から滴下しても、シールド部材１で受けてシールド部材の凹溝１ａを上方から下方（図５に示す矢印イの方向）へ流下し、外部へ効率良く排出させることができる。
【００１７】
また、垂木の上面をシールド部材１の縁部を重ね合わせて敷設することにより、垂木への雨水の浸潤しにくく、屋根の支持強度が維持され、耐久性の向上が図られる。
【００１８】
さらに、シールド部材１の凹溝１ａと野地板５との間に、一定のスペースを確保できることから、該スペースに断熱材を敷設する手段を講ずることができ、屋根裏の断熱を図ることも可能となる。
なお、上記実施例では、葺設する屋根材を平板瓦で記述したが、これに限定するものではなく平板瓦以外の瓦やスレート、トタン葺き屋根等にも適用される。
【図面の簡単な説明】
【００１９】
【図１】本発明の実施例を示す斜視図である。
【図２】本発明の実施例で用いられるシールド部材の斜視図である。
【図３】本発明による施工実施例を示す要部斜視図である。
【図４】図３のＡ−Ａ断面図である。
【図５】図３のＢ−Ｂ断面図である。
【符号の説明】
【００２０】
１  シールド部材、
１ａ  凹溝、
１ｂ  係止部、
２  屋根桁、
３  垂木、
４、８  止め部材、
５   野地板、
６   防水紙、
７   平板瓦、
【図１】
2005048589.tif 000003
【図２】
2005048589.tif 000004
【図３】
2005048589.tif 000005
【図４】
2005048589.tif 000006
【図５】
2005048589.tif 000007